(57)【特許請求の範囲】
【請求項１】
開口を有する筐体本体と、
前記開口の一部を開閉可能に前記筐体本体に設けられ、前記開口の前記一部を開く状態において端部が前記開口上に配置される第１の扉部材と、
前記筐体本体に設けられ、前記端部を回動可能にかつ前記第１の扉部材を前記筐体本体に対して着脱可能に支持する回動支持部と、
前記開口において前記第１の扉部材によって開閉される範囲以外の範囲を開閉する第２の扉部材と、
前記第１の扉部材を、前記端部が前記開口を塞がない位置に固定する固定手段と、
を具備することを特徴とする筐体。
【請求項２】
前記回動支持部は、前記筐体本体に対して着脱可能に設けられ、
前記固定手段は、
前記回動支持部と、
前記筐体本体に設けられて前記回動支持部を固定可能な回動支持部用固定部と、
を具備することを特徴とする請求項１に記載の筐体。
【請求項３】
前記回動支持部は、ねじによって前記筐体本体に固定される
ことを特徴とする請求項２に記載の筐体。
【請求項４】
前記第１の扉部材は、被固定部材を固定可能な被固定部材用固定部を有する
ことを特徴とする請求項１に記載の筐体。
【発明の詳細な説明】
【技術分野】
【０００１】
本発明は、例えば電子機器等の被収容物を収容する筐体に関する。
【背景技術】
【０００２】
ポンプを制御する制御盤は、筐体と、筐体内に収容されるインバータと、インバータの動作を制御するマイコンと、等を有している。筐体は、開口が設けられる筐体本体と、開口を開閉可能な扉部材と、を有している。
【０００３】
インバータやマイコン等筐体内に収容される被収容物は、被収容物に対するメンテナンス等の作業を考慮して開口に対向するように配置されている。このように配置されることによって、開口を通して被収容物に対してアクセスしやすくなる。
【０００４】
扉部材は、その内面に基板や配線などが固定される場合がある。この為、扉部材を開いた状態であっても、これら内面に固定される基板や配線に対するメンテナンス等の作業を行いやすくするために、扉部材は、所謂上下開きとなるように、回動支持部によって回動可能に筐体本体に取り付けられている。
【０００５】
また、複数の扉部材を有する筐体が提案されている。複数の扉部材によって、筐体本体の開口が開閉される（例えば、特許文献１参照。）。
【先行技術文献】
【特許文献】
【０００６】
【特許文献１】特開２０１１−１５９４９号公報
【発明の概要】
【発明が解決しようとする課題】
【０００７】
上述したように、筐体本体の開口を複数の扉部材で開閉する構造では、以下の問題があった。すなわち、開いた状態において開口を挟んで当該開口の一方の縁部から他方の縁部までわたされる扉部材を有する構造が考えられる。この場合、この扉部材が開いた状態であっても、この扉部材によって開口の一部が塞がれるため、被収容物に対してアクセスしにくくなる。この為、被収容物に対する作業の効率が悪くなる。
【０００８】
本発明は、被収容物に対する作業の効率を向上できる筐体を提供することを目的とする。
【課題を解決するための手段】
【０００９】
本発明の筐体は、開口を有する筐体本体と、前記開口の一部を開閉可能に前記筐体本体に設けられ、前記開口の前記一部を開く状態において端部が前記開口上に配置される第１の扉部材と、前記筐体本体に設けられ、前記端部を回動可能にかつ前記第１の扉部材を前記筐体本体に対して着脱可能に支持する回動支持部と、前記開口において前記第１の扉部材によって開閉される範囲以外の範囲を開閉する第２の扉部材と、前記第１の扉部材を、前記端部が前記開口を塞がない位置に固定する固定手段と、を備える。
【発明の効果】
【００１０】
本発明によれば、被収容物に対する作業の効率を向上できる筐体を提供できる。
【図面の簡単な説明】
【００１１】
【図１】本発明の一実施形態に係る制御盤の扉部が閉じた状態を示す同制御盤の正面図。
【図２】同扉部が開いた状態を示す同制御盤の斜視図。
【図３】同制御盤の筐体本体の回動支持部近傍を示す拡大図。
【図４】同回動支持部が同筐体本体の下壁部に固定された状態を示す同制御盤の斜視図。
【発明を実施するための形態】
【００１２】
本発明の一実施形態に係る制御盤１０を、図１，２，３，４を用いて説明する。図１は、制御盤１０の扉部５０が閉じた状態を示す制御盤１０の正面図である。本実施形態では、制御盤１０の上下方向Ｖは、重力が作用する方向を下方向とし、これと反対方向を上方向として定義される。
【００１３】
図２は、扉部５０が開いた状態を示す制御盤１０の正面図である。制御盤１０は、一例として２つのポンプを有するポンプ装置に用いられる。図２に示すように、制御盤１０は、２つのポンプのうちの一方の動作を制御する第１のインバータ５と、他方のポンプの動作を制御する第２のインバータ６と、インバータ５，６の動作を制御するマイコンや電子部品が実装された基板８と、これらを収容可能に形成される筐体２０と、を有している。
【００１４】
筐体２０は、床面２に設置される基部３０と、基部３０上に固定される筐体本体４０と、筐体本体４０の開口４１を開閉可能に設けられる扉部５０と、を有している。筐体本体４０は、内部に収容空間を有する直方形状である。開口４１は、筐体本体４０の正面に形成されている。
【００１５】
開口４１は、その縁が矩形となるように形成されている。筐体本体４０は、上壁部４２と、第１の側壁部４３と、第２の側壁部４４と、下壁部４５と、後壁部４２ａと、を有している。開口４１は、壁部４２，４３，４４，４５内に開口している。開口４１の下縁４１aは、基部３０によって、床面２に対して高い位置に位置している。
【００１６】
上壁部４２は、水平方向に延びている。第１の側壁部４３は、上壁部４２の一端に連結されており、上壁部４２に対して下方に延びている。第２の側壁部４４は、上壁部４２の他端に連結されており、上壁部４２に対して下方に延びている。
【００１７】
下壁部４５は、第１の側壁部４３の下端と第２の側壁部４４の下端とに連結されており、水平方向に延びている。下壁部４５の一端部には、ねじ９０が螺合可能な第１のねじ穴（固定手段、回動支持部用固定部）４５aが形成されている。下壁部４５の他端部には、ねじ９０が螺合可能な第２のねじ穴（固定手段、回動支持部用固定部）４５ｂが形成されている。後壁部４２ａは、壁部４２，４３，４４，４５の後端に連結されている。
【００１８】
扉部５０は、開口４１の上側範囲を開閉可能に設けられる上扉部材（第１の扉部材）６０と、上扉部材６０をその下端部を回動中心として回動可能に筐体本体４０に支持する回動支持部（固定手段、回動支持部）７０と、開口４１の下側範囲を開閉可能に設けられる第１の下扉部材（第２の扉部材）８０及び第２の下扉部材（第２の扉部材）８１と、を有している。
【００１９】
上扉部材６０は、所謂上下開き扉部材である。上扉部材６０は、開口４１の上側範囲を塞ぐことが可能な大きさを有する底壁部６１と、底壁部６１の周縁から立ち上がる周壁部６２と、を有している。底壁部６１は、矩形状に形成されている。
【００２０】
周壁部６２は、基板８やカバー部材４等、上扉部材６０に固定される被固定部材を配置可能なスペースを確保可能に形成される。周壁部６２は、第３の側壁部６３と、第４の側壁部６４と、第５の側壁部６５と、第６の側壁部６６と、を有している。第３の側壁部６３は、上扉部材６０が図１に示すように閉じたときに上端となる底壁部６１の縁に設けられ、上扉部材６０が閉じたときに上壁部４２に接触可能に形成されている。第４の側壁部６４は、上扉部材６０が閉じたときに下端となる底壁部６１の縁に設けられ、上扉部材６０が閉じたときに筐体本体４０の下壁部４５に接触可能に形成されている。
【００２１】
第５の側壁部６５は、上扉部材６０が閉じたときの上下方向Ｖに沿う一方の縁に設けられ、上扉部材６０が閉じたときに筐体本体４０の第１の側壁部４３に接触可能に形成されている。
【００２２】
第５の側壁部６５の第４の側壁部６４側の一端には、第５の側壁部６５が延びる方向に第４の側壁部６４に対して突出する第１の突出部６７が設けられている。第１の突出部６７は、上扉部材６０が図２に示すように略９０度開いた状態において第４の側壁部６４の上縁６４aよりも上方に位置する。第１の突出部６７は、図１に示すように、水平方向外側に突出する第１の回動軸部６７aが設けられている。
【００２３】
第６の側壁部６６は、上扉部材６０が閉じたときの底壁部６１の上下方向Ｖに沿う他方の縁に設けられ、上扉部材６０が開いたときに筐体本体４０の第２の側壁部４４に接触可能に形成されている。
【００２４】
第６の側壁部６６の第４の側壁部６４側の一端には、第６の側壁部６６が延びる方向に第４の側壁部６４に対して突出する第２の突出部６８が設けられている。第２の突出部６８は、上扉部材６０が図２に示すように開いた状態において第４の側壁部６４の上縁６４aよりも上方に位置する。第２の突出部６８は、図１に示すように、水平方向外側に突出する第２の回動軸部６８aが設けられている。第２の回動軸部６８aは、第１の回動軸部６７aと同軸に配置されている。
【００２５】
回動支持部７０は、開口４１の上側範囲と下側範囲との境界部分に設けられている。図３は、筐体本体４０において回動支持部７０が設けられる部分を示す拡大図である。図３では、扉部材６０，８１，８２は省略されている。
【００２６】
図３に示すように、回動支持部７０は、開口４１を水平方向にまたぐように筐体本体４０に固定される基部７１と、基部７１の水平方向一端部に設けられる第３の突出部７４と、基部７１及び第３の突出部７４に設けられる第１の支持壁部７２と、基部７１の水平方向他端部に設けられる第４の突出部７５と、基部７１及び第４の突出部７５に設けられる第２の支持壁部７３と、を有している。
【００２７】
第３の突出部７４は、基部７１の水平方向一端部に設けられており、基部７１に対して上方に突出している。第４の突出部７５は、基部７１の水平方向他端部に設けられており、基部７１に対して上方に突出している。
【００２８】
第３の突出部７４は、ねじ９０が挿通可能な第１の貫通孔７４aが形成されている。第４の突出部７５は、ねじ９０が挿通可能な第２の貫通孔７５aが形成されている。第１の側壁部４３の中腹部は、ねじ９０が螺合可能な第３のねじ穴４３aが形成されている。第２の側壁部４４の中腹部は、ねじ９０が螺合可能な第４のねじ穴４４aが形成されている。
【００２９】
基部７１は、第１の貫通孔７４a内を挿通したねじ９０を第３のねじ穴４３aに螺合し、かつ、第２の貫通孔７５a内を挿通したねじ９０を第４のねじ穴４４aに螺合することによって、筐体本体４０に固定される。
【００３０】
なお、基部７１は、第１の貫通孔７４aを挿通したねじ９０を第１のねじ穴４５aに螺合し、かつ、第２の貫通孔７５aを挿通したねじ９０を第２のねじ穴４５ｂに螺合することによって、筐体本体４０の下壁部４５に固定可能である。
【００３１】
第１の支持壁部７２は、基部７１及び第３の突出部７４の上下方向Ｖに沿う縁に設けられている。第１の支持壁部７２は、上扉部材６０の第１の突出部６７に対して水平方向外側に配置されている。
【００３２】
第１の支持壁部７２は、第３の突出部７４の上端から基部７１の下端まで延びており、基部７１及び第３の突出部７４に対して立ち上がる形状を有している。第１の支持壁部７２において第３の突出部７４より下側の部分には、第１の回動軸部６７aを回動可能に収容する第３の貫通孔７２aが形成されている。
【００３３】
第２の支持壁部７３は、基部７１及び第４の突出部７５の上下方向Ｖに沿う縁に設けられている。第２の支持壁部７３は、上扉部材６０の第２の突出部６８に対して水平方向外側に配置されている。
【００３４】
第２の支持壁部７３は、第４の突出部７５の上端から基部７１の下端まで延びており、基部７１及び第４の突出部７５に対して立ち上がる形状を有している。第２の支持壁部７３において第４の突出部７５より下側の部分には、第２の回動軸部６８aを回動可能に収容する第４の貫通孔７３aが形成されている。第４の貫通孔７３aは、第３の貫通孔７２aと同軸に配置されている。
【００３５】
上扉部材６０の第１の突出部６７の第１の回動軸部６７aが回動支持部７０の第１の支持壁部７２の第３の貫通孔７２a内に回動可能に支持され、かつ、上扉部材６０の第２の突出部６８の第２の回動軸部６８aが回動支持部７０の第２の支持壁部７３の第４の貫通孔７３a内に回動可能に支持されることによって、上扉部材６０は、筐体本体４０に上下方向Ｖに回動可能に支持される。
【００３６】
また、回動支持部７０は、上扉部材６０が閉じた状態から図２に示すように略９０度以上回動することを阻止するストッパ構造を有している。なお、本実施形態では、ストッパ構造の一例として、第４の側壁部６４と基部７１とを有している。上扉部材６０が閉じた状態から図２に示すように略９０度回動すると第４の側壁部６４が基部７１に当接することによって、その回動が停止される。
【００３７】
第１の下扉部材８０は、所謂左右開き扉部材である。第１の下扉部材８０は、開口４１の下側範囲の第１の側壁部４３側の範囲を開閉可能な大きさを有している。第１の下扉部材８０は、第１の側壁部４３に回動可能に支持されている。第１の下扉部材８０は、上下方向Ｖに平行な回転軸回りに開閉する。
【００３８】
第２の下扉部材８１は、所謂左右開き扉部材である。第２の下扉部材８１は、開口４１の下側範囲の下壁部４５側の範囲を開閉可能な大きさを有している。第２の下扉部材８１は、下壁部４５に回動可能に支持されている。第２の下扉部材８１は、上下方向Ｖに平行な回転軸回りに回動する。
【００３９】
第１のインバータ５は、筐体本体４０内の上側において第１の側壁部４３側に設置されている。第２のインバータ６は、筐体本体４０内の上側において第２の側壁部４４側に設置されている。
【００４０】
基板８は、上扉部材６０の底壁部６１の内面に固定されている。底壁部６１の内面は、上扉部材６０が図１に示すように閉じた状態において筐体本体４０内に面する面である。底壁部６１には、基板８を固定するためのボス部（被固定部材用固定部）８ａが設けられている。基板８には複数のケーブル９が接続されている。
【００４１】
ケーブル９は、筐体２０内に収容される装置同士を電気的に接続している。一例として、ケーブル９は、インバータ５，６や基板８に実装されるマイコンに接続されている。図４は、回動支持部７０が筐体本体４０の下壁部４５に固定された状態を示す制御盤１０の正面図である。図４に示すように、ケーブル９は、回動支持部７０及び上扉部材６０を下壁部４５に固定可能な長さを有している。
【００４２】
言い換えると、ケーブル９は、上扉部材６０を図２に示すように筐体本体４０の上下方向中腹部に固定される位置と図４に示すように下壁部４５に固定される位置との間で移動可能な長さを有している。上扉部材６０には、基板８を覆うように配置されるカバー部材（被固定部材）４が設けられている。底壁部６１には、カバー部材４が固定されるボス部（被固定部材用固定部）４ａが設けられる。
【００４３】
次に、上扉部材６０の開動作について説明する。図１に示すように閉じた状態の上扉部材６０を手前側に引くことによって、上扉部材６０は、回動軸部６７a，６８a回りに手前側に回動する。上扉部材６０は、閉じた状態から略９０度回動すると、図２に示すように、回動支持部７０のストッパ構造によって回動が停止されて開いた状態が保持される。この為、開いた状態の上扉部材６０は、開口４１の上下方向中腹部を水平方向にまたぐように配置される。言い換えると、上扉部材６０は、開いた状態において、その回動中心となる端部が、開口４１上に配置される。
【００４４】
第１の回動軸部６７aが第３の突出部７４よりも下方に位置し、かつ、第２の回動軸部６８aが第４の突出部７５よりも下方に位置することによって、略９０度回動した上扉部材６０は、回動支持部７０の基部７１の上縁よりも下方に位置するようになる。
【００４５】
次に、下扉部材８０，８１の開動作について説明する。図１に示す閉じた状態の第１の下扉部材８０は、右方向に回動することによって、開く。図１に示す閉じた状態の第２の下扉部材８１は、左方向に回動することによって、開く。
【００４６】
次に、インバータ５，６をメンテナンスする際の手順について、一例を説明する。まず、図２に示すように、扉部材６０，８０，８１を開く。次に、回動支持部７０を開口４１の中腹部に固定しているねじ９０を取り外す。
【００４７】
次に、回動支持部７０と上扉部材６０との一体物を筐体本体４０から取り外す。次に、取りはずされた回動支持部７０及び上扉部材６０の一体物を、図４に示すように、筐体本体４０の下壁部４５に固定する。具体的には、上扉部材６０を開いた状態で、回動支持部７０の第３の突出部７４の第１の貫通孔７４aを基部７１が第３の突出部７４に対して下方に位置する姿勢で筐体本体４０の第１のねじ穴４５aに重ね合わせる。次に、ねじ９０を第１の貫通孔７４aを通して第１のねじ穴４５aに螺合する。
【００４８】
同様に、回動支持部７０の第４の突出部７５の第２の貫通孔７５aを基部７１が第４の突出部７５に対して下方に位置する姿勢で筐体本体４０の第２のねじ穴４５ｂに重ね合わせる。次に、ねじ９０を第２の貫通孔７５aを通して第２のねじ穴４５ｂに螺合する。
【００４９】
筐体本体４０が基部３０上に設置されることにより、上扉部材６０が略９０度開いても、上扉部材６０が床面２に接触することはない。
【００５０】
基部７１が突出部７４，７５よりも下方に位置することによって、基部７１は、開口４１の下縁４１aよりも下方に位置する。さらに、第１の回動軸部６７aが第３の突出部７４よりも下方に位置し、かつ、第２の回動軸部６８aが第４の突出部７５よりも下方に位置することによって、略９０度回動した上扉部材６０は、回動支持部７０の基部７１の上縁よりも下方に位置する。
【００５１】
この為、上扉部材６０及び回動支持部７０は、開口４１の下縁４１aよりも下方に位置するようになるので、開口４１を水平方向にまたがない。言い換えると、上扉部材６０及び回動支持部７０は、開口４１を塞がない。上扉部材６０及び回動支持部７０が開口４１を塞がないことによって、筐体本体４０内にアクセスしやすくなる。
【００５２】
次に、開口４１を通して、インバータ５，６をメンテナンスする。
【００５３】
このように構成された制御盤１０では、インバータ５，６をメンテナンスする際に上扉部材６０を取り外すことができるので、筐体本体４０内にアクセスしやすくなる。この為、インバータ５，６に対するメンテナンス作業の効率を向上することができる。
【００５４】
また、上扉部材６０を筐体本体４０の下壁部４５に固定できるため、メンテナンス作業のために取り外した上扉部材６０を紛失することを防止できる。
【００５５】
また、上扉部材６０を下壁部４５に固定することによって、ケーブル９とインバータ５，６との接続部の破損、ケーブル９と基板（被固定部材）８との接続部の破損、及び、ケーブル９の断線を防止することができる。
【００５６】
この点について説明する。例えば、上扉部材６０が固定されていない場合では、上扉部材６０が筐体本体４０に対して移動されると、ケーブル９に張力が作用し、この張力によって、ケーブル９とインバータ５，６との接続部の破損、ケーブル９と基板８との接続部の破損、及び、ケーブル９の断線が生じる場合がある。しかしながら、上扉部材６０が筐体本体４０に固定されることによって、上扉部材６０が移動することを防止できるので、ケーブル９に張力が生じることを防止できる。この為、ケーブル９とインバータ５，６との接続部の破損、ケーブル９と基板８との接続部の破損、及び、ケーブル９の断線を防止できる。
【００５７】
また、回動支持部７０と上扉部材６０との一体物を筐体本体４０の下壁部４５に固定することによって、筐体本体４０に対する上扉部材６０の固定に回動支持部７０を利用するとこができる。この為、上扉部材６０を下壁部４５に固定するための特別な構造を上扉部材６０に設けることがないので、上扉部材６０の構造を複雑にすることがない。
【００５８】
また、ねじ９０を用いて回動支持部７０を筐体本体４０に固定するため、回動支持部７０の着脱作業を簡単に行うことができる。
【００５９】
また、回動支持部７０が、基部７１及び突出部７４，７５を有することにより、上扉部材６０の回動軸部６７a，６８aが基部７１の上縁よりも下方に配置される。この為、回動支持部７０を筐体本体４０の下壁部４５に固定してストッパ構造によりその回動が停止されるまで上扉部材６０を開いた状態では、回動支持部７０及び上扉部材６０が開口４１の下縁４１aよりも下方に配置される。この為、開口４１を最大に開くことができるので、インバータ５，６に対するメンテナンス等の作業を行いやすくなる。
【００６０】
なお、本発明は、既存の筐体を利用して構成され、容積が拡大された筐体に対して有効である。この点について説明する。扉部材として例えば上扉部材６０のように上下開きの扉部材のみと、筐体本体としてこの上下開の扉部材のみで開閉可能な開口を有する筐体本体と、を有する筐体を用いてより大きな開口を有する筐体を構成する場合、開口において拡大された範囲を開閉するための扉部材が新たに設けられる。開口が下方に拡大された場合では、この上下開きの扉部材は、開口の上下方向中腹において水平方向にまたがるように配置されることになる。言い換えると、扉部材が一方の側壁部から他方の側壁部まで延びるように、開口上に配置されるようになる。
【００６１】
例えば、本実施形態の筐体２０は、上扉部材６０と、上扉部材６０によって開閉可能な開口を有する筐体本体と、を有する筐体を利用して構成することができる。この場合、第１の側壁部４３は、既存の筐体を構成していた部分と、新たに加えられる部分とを有するようになる。第１の側壁部４３において既存の筐体を構成していた部分は、開口４１において上扉部材６０によって開閉する範囲を規定する。第１の側壁部４３において新たに追加された部分は、開口４１において下扉部材８０，８１によって開閉される範囲を規定する。
【００６２】
同様に、第２の側壁部４４は、既存の筐体を構成していた部分と、新たに加えられる部分とを有するようになる。第２の側壁部４４において既存の筐体を構成していた部分は、開口４１において上扉部材６０によって開閉する範囲を規定する。第２の側壁部４４において新たに追加された部分は、開口４１において下扉部材８０，８１によって開閉される範囲を規定する。
【００６３】
上扉部材６０は、基板８やカバー部材４を固定するためのボス部４ａ，８ａを有している。このため、筐体本体４０の開口４１を１つの扉部材で開閉すべくこの扉部材を形成する場合、この扉部材には、基板８とカバー部材４を固定するためのボス部４ａ，８ａを設けるとともに、これら基板８とカバー部材４とを収容可能なスペースを確保するための周壁部を設ける必要がある。このため、この扉部材を作成する場合、コストが高くなる。
【００６４】
この為、既存の筐体を利用して筐体２０を構成する場合、作成のコストが高い上扉部材６０を利用ので、筐体２０の低コスト化を図ることができる。
【００６５】
また、本発明は、上記実施形態に限定されるものではない。上記実施形態では、本発明は、開いた状態においてその端部が開口上に配置される扉部材の一例として上下開きの上扉部材６０を有する筐体に用いられた。他の例としては、例えば、本発明は、開いた状態においてその回動中心となる端部が開口上に配置される左右開きの扉部材を有する筐体に用いられてもよい。この場合、この左右開きの扉部材が、筐体本体に対して着脱される。開いた状態にその端部が開口上に配置される左右開きの扉部材を有する筐体に本発明が用いられても、上記実施形態と同様の効果が得られる。
【００６６】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。さらに、異なる実施形態の構成を組み合わせてもよい。
以下に、本願出願の当初の特許請求範囲に記載された発明を付記する。
［１］
開口を有する筐体本体と、
前記開口の一部を開閉可能に前記筐体本体に設けられ、前記開口の前記一部を開く状態において端部が前記開口上に配置される第１の扉部材と、
前記筐体本体に設けられ、前記端部を回動可能にかつ前記第１の扉部材を前記筐体本体に対して着脱可能に支持する回動支持部と、
前記開口において前記第１の扉部材によって開閉される範囲以外の範囲を開閉する第２の扉部材と、
を具備することを特徴とする筐体。
［２］
前記第１の扉部材を、前記端部が前記開口を塞がない位置に固定する固定手段を具備する
ことを特徴とする［１］に記載の筐体。
［３］
前記回動支持部は、前記筐体本体に対して着脱可能に設けられ、
前記固定手段は、
前記回動支持部と、
前記筐体本体に設けられて前記回動支持部を固定可能な回動支持部用固定部と、
を具備することを特徴とする［２］に記載の筐体。
［４］
前記回動支持部は、ねじによって前記筐体本体に固定される
ことを特徴とする［３］に記載の筐体。
［５］
前記第１の扉部材は、被固定部材を固定可能な被固定部材用固定部を有する
ことを特徴とする［１］に記載の筐体。
【符号の説明】
【００６７】
４ａ…ボス部（被固定部材用固定部）、８ａ…ボス部（被固定部材用固定部）、１０…筐体、４０…筐体本体、４１…開口、４５a…第１のねじ穴（固定手段、回動支持部用固定部）、４５ｂ…第２のねじ穴（固定手段、回動支持部用固定部）、６０…上扉部材（第１の扉部材）、７０…回動支持部（固定手段）、８０…第１の下扉部材（第２の扉部材）、８１…第２の下扉部材（第２の扉部材）。
【図１】
0006412772.tif 000002
【図２】
0006412772.tif 000003
【図３】
0006412772.tif 000004
【図４】
0006412772.tif 000005